(57)【要約】【課題】可動刃の駆動中に大きな音が発生しにくい電気式毛切断装置を提供する。【解決手段】電気式毛切断装置１は電気モータ４１の出力軸４１Ａの回転運動を往復直線運動に変換する運動変換機構５０、および、運動変換機構５０の往復直線運動により駆動する可動刃を含む。運動変換機構５０は、出力軸４１Ａの回転運動を第１中心軸線ＣＬ１まわりの往復回転運動に変換する第１変換部６０、往復回転運動を往復直線運動に変換する第２変換部７０、および、第２変換部７０と可動刃とを連結する出力部９０を含む。第２変換部７０は運動伝達部７１および弾性変形部７２を含む。運動伝達部７１は第１変換部６０と出力部９０とを連結する。弾性変形部７２は出力方向ＳＤの運動成分とは別の運動成分による運動伝達部７１の運動を規制し、運動伝達部７１が往復直線運動するように運動伝達部７１と連結される。【選択図】図６
2018118023.tif 000002
【特許請求の範囲】
【請求項１】
電気モータと、
前記電気モータの出力軸の回転運動を往復直線運動に変換する運動変換機構と、
前記運動変換機構から伝達される前記往復直線運動により駆動する可動刃とを含み、
前記運動変換機構は、前記出力軸の回転運動を前記出力軸と平行な方向と交差する第１中心軸線まわりの往復回転運動に変換する第１変換部と、前記往復回転運動を前記往復直線運動に変換する第２変換部と、前記可動刃が前記往復直線運動するように前記第２変換部と前記可動刃とを連結する出力部とを含み、
前記第２変換部は、前記第１変換部と前記出力部とを連結する運動伝達部と、前記第１変換部から前記運動伝達部に伝達される前記往復回転運動に含まれる運動成分のうち、前記往復直線運動の方向である出力方向の運動成分とは別の運動成分による前記運動伝達部の運動を規制し、前記出力方向の運動成分により前記運動伝達部が前記往復直線運動するように前記運動伝達部と連結される弾性変形部とを含む
電気式毛切断装置。
【請求項２】
前記第１変換部は、前記出力軸に対して偏心した位置において前記出力軸まわりで回転できるように前記出力軸と連結される偏心軸と、前記偏心軸の回転運動を前記往復回転運動に変換できるように前記偏心軸と連結される入力変換部とを含み、
前記第２変換部は前記入力変換部の前記往復回転運動を前記往復直線運動に変換できるように前記入力変換部と連結される
請求項１に記載の電気式毛切断装置。
【請求項３】
前記入力変換部は、前記偏心軸と連結される第１腕と、前記第１腕から延びて前記第２変換部と連結される第２腕とを含み、
前記第２変換部は、前記第２腕が前記出力方向と交差する方向に相対的に移動し、かつ、前記出力方向に相対的に移動できないように前記第２腕と連結される規制連結部を含む
請求項２に記載の電気式毛切断装置。
【請求項４】
前記運動変換機構は前記第２変換部と前記出力部とを連結する回り対偶をさらに含み、
前記回り対偶は前記出力方向と交差する第２中心軸線を有する回転軸と、前記第２中心軸線まわりで前記第２変換部と前記出力部とが相対的に回転できるように前記回転軸と連結される連結部とを含む
請求項１〜３のいずれか一項に記載の電気式毛切断装置。
【請求項５】
前記電気モータおよび前記運動変換機構を収容するケースをさらに含み、
前記弾性変形部は前記ケースと連結される第１部分と、前記運動伝達部と連結される第２部分と、弾性変形できるように前記第１部分と前記第２部分とを連結する弾性部分とを含む
請求項１〜４のいずれか一項に記載の電気式毛切断装置。
【請求項６】
前記弾性部分は前記出力方向において間隔をあけて設けられる第１弾性部分および第２弾性部分を含む
請求項５に記載の電気式毛切断装置。
【請求項７】
前記第１中心軸線は前記第１弾性部分と前記第２弾性部分との間に設けられる
請求項６に記載の電気式毛切断装置。
【請求項８】
前記回り対偶は前記第１弾性部分と前記第２弾性部分との間に設けられる
請求項４を引用する請求項６または７に記載の電気式毛切断装置。
【請求項９】
前記第１変換部および前記第２変換部は、前記第２腕と前記規制連結部との連結部分および前記第２中心軸線を通過する直線と前記出力方向とが平行するように構成される
請求項３を引用する請求項４、または、その請求項４を引用する請求項５〜８のいずれか一項に記載の電気式毛切断装置。
【請求項１０】
前記可動刃と連結される前記出力部の刃連結部を前記出力方向にガイドするガイド部をさらに含む
請求項１〜９のいずれか一項に記載の電気式毛切断装置。
【発明の詳細な説明】
【技術分野】
【０００１】
本発明は電気式毛切断装置に関する。
【背景技術】
【０００２】
電力により駆動し、髭等の体毛を切断する電気式毛切断装置の一例として、電気モータの出力軸の回転運動を運動変換機構により往復直線運動に変換し、変換した往復直線運動により可動刃を固定刃に対して駆動する装置が知られている。特許文献１はこのような電気式毛切断装置の一例を開示している。図１２に示されるように、この電気式毛切断装置９００の運動変換機構９１０は第１変換部９１１、第２変換部９１２、および、出力部９１３を含む。
【０００３】
第１変換部９１１は電気モータ９２０の出力軸９２１の回転運動を出力軸９２１の中心軸線と交差する方向の往復直線運動に変換する。第２変換部９１２はリンク部９１２Ａおよびガイド部９１２Ｃを含む。リンク部９１２Ａは第１変換部９１１と連結され、第１変換部９１１から伝達された往復直線運動を出力軸９２１の中心軸線に沿う方向の往復直線運動に変換する。ガイド部９１２Ｃはリンク部９１２Ａが出力軸９２１の中心軸線に沿う方向に運動するようにリンク部９１２Ａの両側部９１２Ｂと接触する。出力部９１３は第２変換部９１２と連結され、第２変換部９１２から伝達された往復直線運動により可動刃９３１を固定刃９３２に対して駆動する。
【先行技術文献】
【特許文献】
【０００４】
【特許文献１】特開２０１３−６６５４８号公報
【発明の概要】
【発明が解決しようとする課題】
【０００５】
特許文献１の運動変換機構９１０によれば、第１変換部９１１から第２変換部９１２に伝達される往復直線運動に含まれる運動成分は、出力軸９２１の中心軸線に沿う方向の運動成分、および、出力軸９２１の中心軸線に直交する方向の運動成分を含む。このため、第２変換部９１２においてリンク部９１２Ａの両側部９１２Ｂがガイド部９１２Ｃと衝突しながら出力軸９２１の中心軸線に沿う方向に往復直線運動し、リンク部９１２Ａとガイド部９１２Ｃとの衝突にともない大きな音が発生するおそれがある。
【課題を解決するための手段】
【０００６】
本発明に関する電気式毛切断装置の一形態は、電気モータと、前記電気モータの出力軸の回転運動を往復直線運動に変換する運動変換機構と、前記運動変換機構から伝達される前記往復直線運動により駆動する可動刃とを含み、前記運動変換機構は、前記出力軸の回転運動を前記出力軸と平行な方向と交差する第１中心軸線まわりの往復回転運動に変換する第１変換部と、前記往復回転運動を前記往復直線運動に変換する第２変換部と、前記可動刃が前記往復直線運動するように前記第２変換部と前記可動刃とを連結する出力部とを含み、前記第２変換部は、前記第１変換部と前記出力部とを連結する運動伝達部と、前記第１変換部から前記運動伝達部に伝達される前記往復回転運動に含まれる運動成分のうち、前記往復直線運動の方向である出力方向の運動成分とは別の運動成分による前記運動伝達部の運動を規制し、前記出力方向の運動成分により前記運動伝達部が前記往復直線運動するように前記運動伝達部と連結される弾性変形部とを含む。
【発明の効果】
【０００７】
本発明に関する電気式毛切断装置によれば、可動刃の駆動中に大きな音が発生するおそれが低減される。
【図面の簡単な説明】
【０００８】
【図１】実施の形態の電気式毛切断装置の斜視図。
【図２】図１の電気式毛切断装置の内部の構造を示す側面図。
【図３】図１の刃ユニットの内面を示す正面図。
【図４】図１の電気式毛切断装置の分解斜視図。
【図５】図４の運動変換機構の斜視図。
【図６】図２の電気式毛切断装置における運動変換機構の配置状態を示す側面図。
【図７】図６のＤ７−Ｄ７線に沿う断面図。
【図８】図６の運動変換機構が第１状態を取るときの電気式毛切断装置の側面図。
【図９】図６の運動変換機構が第２状態を取るときの電気式毛切断装置の側面図。
【図１０】第１アタッチメントが装着された電気式毛切断装置の側面図。
【図１１】第２アタッチメントが装着された電気式毛切断装置の側面図。
【図１２】従来の電気式毛切断装置の内部の構造を示す断面図。
【発明を実施するための形態】
【０００９】
（電気式毛切断装置が取り得る形態の一例）
〔１〕本発明に関する電気式毛切断装置の一形態は、電気モータと、前記電気モータの出力軸の回転運動を往復直線運動に変換する運動変換機構と、前記運動変換機構から伝達される前記往復直線運動により駆動する可動刃とを含み、前記運動変換機構は、前記出力軸の回転運動を前記出力軸と平行な方向と交差する第１中心軸線まわりの往復回転運動に変換する第１変換部と、前記往復回転運動を前記往復直線運動に変換する第２変換部と、前記可動刃が前記往復直線運動するように前記第２変換部と前記可動刃とを連結する出力部とを含み、前記第２変換部は、前記第１変換部と前記出力部とを連結する運動伝達部と、前記第１変換部から前記運動伝達部に伝達される前記往復回転運動に含まれる運動成分のうち、前記往復直線運動の方向である出力方向の運動成分とは別の運動成分による前記運動伝達部の運動を規制し、前記出力方向の運動成分により前記運動伝達部が前記往復直線運動するように前記運動伝達部と連結される弾性変形部とを含む。出力方向の運動成分とは別の運動成分による運動伝達部の運動が弾性変形部により規制されるため、電気式毛切断装置を構成する各種の要素と第２変換部とが接触するおそれが低減される。このため、可動刃の駆動中に大きな音が発生しにくい。
【００１０】
〔２〕前記電気式毛切断装置の一例によれば、前記第１変換部は、前記出力軸に対して偏心した位置において前記出力軸まわりで回転できるように前記出力軸と連結される偏心軸と、前記偏心軸の回転運動を前記往復回転運動に変換できるように前記偏心軸と連結される入力変換部とを含み、前記第２変換部は前記入力変換部の前記往復回転運動を前記往復直線運動に変換できるように前記入力変換部と連結される。このため、電気モータの出力軸の回転運動が簡易な構成で往復直線運動に変換される。
【００１１】
〔３〕前記電気式毛切断装置の一例によれば、前記入力変換部は、前記偏心軸と連結される第１腕と、前記第１腕から延びて前記第２変換部と連結される第２腕とを含み、前記第２変換部は、前記第２腕が前記出力方向と交差する方向に相対的に移動し、かつ、前記出力方向に相対的に移動できないように前記第２腕と連結される規制連結部を含む。このため、電気モータの出力軸の回転運動が簡易な構成で往復直線運動に変換される。
【００１２】
〔４〕前記電気式毛切断装置の一例によれば、前記運動変換機構は前記第２変換部と前記出力部とを連結する回り対偶をさらに含み、前記回り対偶は前記出力方向と交差する第２中心軸線を有する回転軸と、前記第２中心軸線まわりで前記第２変換部と前記出力部とが相対的に回転できるように前記回転軸と連結される連結部とを含む。このため、第２変換部から伝達される往復直線運動が出力部を介して可動刃に伝達されやすい。
【００１３】
〔５〕前記電気式毛切断装置の一例によれば、前記電気モータおよび前記運動変換機構を収容するケースをさらに含み、前記弾性変形部は前記ケースと連結される第１部分と、前記運動伝達部と連結される第２部分と、弾性変形できるように前記第１部分と前記第２部分とを連結する弾性部分とを含む。弾性変形部の第１部分がケースと連結されるため、電気モータの駆動による第２変換部の動作が安定しやすい。
【００１４】
〔６〕前記電気式毛切断装置の一例によれば、前記弾性部分は前記出力方向において間隔をあけて設けられる第１弾性部分および第２弾性部分を含む。このため、電気モータの駆動による第２変換部の動作が一層安定しやすい。
【００１５】
〔７〕前記電気式毛切断装置の一例によれば、前記第１中心軸線は前記第１弾性部分と前記第２弾性部分との間に設けられる。このため、運動変換機構が小型化される。
〔８〕前記電気式毛切断装置の一例によれば、前記回り対偶は前記第１弾性部分と前記第２弾性部分との間に設けられる。このため、運動変換機構が小型化される。
【００１６】
〔９〕前記電気式毛切断装置の一例によれば、前記第１変換部および前記第２変換部は、前記第２腕と前記規制連結部との連結部分および前記第２中心軸線を通過する直線と前記出力方向とが平行するように構成される。このため、第２変換部から出力部に伝達される往復直線運動の方向と出力部から可動刃に伝達される往復直線運動の方向とが一致しやすく、電気式毛切断装置を構成する各種の要素と運動変換部とが接触するおそれが低減される。
【００１７】
〔１０〕前記電気式毛切断装置の一例によれば、前記可動刃と連結される前記出力部の刃連結部を前記出力方向にガイドするガイド部をさらに含む。このため、可動刃が安定した往復直線運動を形成しやすい。
【００１８】
（実施の形態）
図１は電気式毛切断装置１の外観である。電気式毛切断装置１は例えば髭および頭髪の切断に適した大きさを有する。電気式毛切断装置１の一例はトリマーである。電気式毛切断装置１は本体１０および刃ユニット２１を含む。本体１０は電気式毛切断装置１を構成する各種の要素を収容している。刃ユニット２１の機能は毛を切断することである。刃ユニット２１は本体１０に着脱可能に設けられる。
【００１９】
本体１０はケース１１およびカバー１２を含む。電気式毛切断装置１を構成する各種の要素はケース１１内に収容される（図２参照）。カバー１２はケース１１に着脱可能に設けられる。電気式毛切断装置１を構成する各種の要素がケース１１内に収容され、カバー１２がケース１１に取り付けられることにより本体１０が構成される。
【００２０】
電気式毛切断装置１はヘッド部２０およびグリップ部３０を含む。ヘッド部２０は刃ユニット２１および支持ユニット２７を含む。刃ユニット２１は支持ユニット２７に着脱可能に設けられる。刃ユニット２１は固定刃２２Ａおよび可動刃２３Ａを含む。グリップ部３０はユーザが片手でグリップできるように構成されている。グリップ部３０はヘッド部２０を支持している。一例では、グリップ部３０は支持ユニット２７と一体成形されている。グリップ部３０および支持ユニット２７は本体１０の一部を構成している。
【００２１】
支持ユニット２７の機能は刃ユニット２１を支持することである。一例では、支持ユニット２７は固定刃２２Ａの刃先および可動刃２３Ａの刃先がグリップ部３０の長手方向Ｌ２と交差する方向を向くように刃ユニット２１を支持可能である。ヘッド部２０のうちの刃ユニット２１を構成する部分は、例えば固定刃２２Ａおよび可動刃２３Ａに向けて先細り形状であり、固定刃２２Ａおよび可動刃２３Ａがグリップ部３０に対して突出している。ヘッド部２０のうちの刃ユニット２１を構成する部分は刃ユニット２１および支持ユニット２７の一部を含む。支持ユニット２７のうちの刃ユニット２１とグリップ部３０との間の部分は、例えば電気式毛切断装置１の側面視においてくびれている（図２参照）。
【００２２】
図２に示されるように、電気式毛切断装置１は固定刃２２Ａに対する可動刃２３Ａの移動方向Ｌ１と、グリップ部３０の長手方向Ｌ２とのなす角度（以下「刃角度」）が鋭角となるように構成されている。固定刃２２Ａに対する可動刃２３Ａの移動方向Ｌ１は固定刃２２Ａおよび可動刃２３Ａの長手方向と同じ方向である。刃角度はユーザが電気式毛切断装置１を操作するときの操作性との関係から決められることが好ましい。刃角度に関する好ましい範囲の一例は、４５°以下である。一例では、刃角度は１０°である。なお、電気式毛切断装置１は可動刃２３Ａの移動方向Ｌ１とグリップ部３０の長手方向Ｌ２とが平行となるように構成されてもよい。
【００２３】
電気式毛切断装置１は電気モータ４１、運動変換機構５０、および、電源部４２をさらに含む。電気モータ４１および電源部４２は例えばケース１１のうちのグリップ部３０を構成する部分に収容される。運動変換機構５０は主にケース１１のうちの支持ユニット２７を構成する部分に収容される。電気モータ４１は電源部４２と電気的に接続されている。運動変換機構５０は電気モータ４１の出力軸４１Ａ（図４参照）と結合されている。運動変換機構５０の機能は出力軸４１Ａの回転運動を往復直線運動に変換し、その往復直線運動を刃ユニット２１に伝達することである。電源部４２は電気モータ４１に電力を供給可能である。電源部４２は例えば一次電池または二次電池である。
【００２４】
図３に示されるように、刃ユニット２１は固定プレート２２、可動プレート２３、フレーム２４、保持プレート２５、および、ばね２６をさらに含む。固定プレート２２は複数の固定刃２２Ａを含む。可動プレート２３は複数の可動刃２３Ａを含む。固定プレート２２および可動プレート２３は互いに対向している。フレーム２４は固定プレート２２に対して可動プレート２３が配置される側とは反対側から固定プレート２２を支持し、固定プレート２２が位置ずれしないように固定プレート２２を保持している。保持プレート２５は可動プレート２３に対して固定プレート２２が配置される側とは反対側から可動プレート２３を支持し、可動プレート２３が位置ずれしないように可動プレート２３を保持している。ばね２６は例えばフレーム２４に取り付けられ、可動プレート２３を固定プレート２２に押し付けることにより固定刃２２Ａと可動刃２３Ａとを接触させている。ばね２６の一例はダブルトーションばねである。
【００２５】
保持プレート２５は接続部２５Ａを含む。接続部２５Ａは刃ユニット２１が支持ユニット２７（図２参照）に取り付けられた状態において運動変換機構５０（図２参照）と接続される。電気モータ４１（図２参照）が駆動することにより運動変換機構５０から刃ユニット２１の幅方向の力のみが接続部２５Ａに伝達され、可動プレート２３が保持プレート２５を介して刃ユニット２１の幅方向に往復直線運動する。このため、複数の可動刃２３Ａが複数の固定刃２２Ａに対して往復直線運動する。
【００２６】
図１に示されるように、電気式毛切断装置１は電源スイッチ３１をさらに含む。電源スイッチ３１の機能は電気式毛切断装置１の電源のオンおよびオフを切り替えることである。電源スイッチ３１は例えばグリップ部３０の正面３０Ａに設けられる。電源スイッチ３１がオンに設定されることにより電気モータ４１（図２参照）が駆動し、可動刃２３Ａが運動変換機構５０（図２参照）から伝達される往復直線運動により駆動する。このため、可動刃２３Ａが固定刃２２Ａに対して往復直線運動し、固定刃２２Ａと可動刃２３Ａとの間に導入された毛が切断される。
【００２７】
電気式毛切断装置１は各種のアタッチメントを装着可能である。各種のアタッチメントは第１アタッチメント１１０（図１０参照）および第２アタッチメント１２０（図１１参照）を含む。各アタッチメント１１０、１２０は例えばヘッド部２０に取り付け可能である。ヘッド部２０は案内部２８を含む。案内部２８の機能はヘッド部２０に対するアタッチメント１１０、１２０の取り付けを案内することである。案内部２８の一例は溝である。案内部２８は例えば固定刃２２Ａおよび可動刃２３Ａの長手方向に延びるように支持ユニット２７のそれぞれの側面２７Ａに設けられる。案内部２８はアタッチメント１１０、１２０の内面に設けられた凸部（図示略）を挿入可能である。アタッチメント１１０、１２０の凸部が案内部２８に挿入されることによって、ヘッド部２０に対するアタッチメント１１０、１２０の取り付けが案内される。
【００２８】
図４を参照して、運動変換機構５０の構成について説明する。
運動変換機構５０は第１変換部６０、第２変換部７０、および、出力部９０を含む。第１変換部６０の機能は電気モータ４１の出力軸４１Ａの回転運動を出力軸４１Ａと平行な方向と交差する第１中心軸線ＣＬ１まわりの往復回転運動に変換することである。第１変換部６０は出力軸４１Ａと第２変換部７０とを接続している。
【００２９】
第１変換部６０は偏心回転部６１および入力変換部６２を含む。偏心回転部６１は回転体６１Ａ、偏心軸６１Ｂ、および、ローラ６１Ｃを含む。回転体６１Ａは出力軸４１Ａと一体的に回転可能に出力軸４１Ａに設けられる。偏心軸６１Ｂは出力軸４１Ａに対して偏心した位置において出力軸４１Ａまわりで回転できるように回転体６１Ａを介して出力軸４１Ａと連結される。ローラ６１Ｃは出力軸４１Ａに対して偏心した位置において偏心軸６１Ｂとともに出力軸４１Ａまわりで回転できるように偏心軸６１Ｂに設けられる。一例では、ローラ６１Ｃは偏心軸６１Ｂの軸方向に沿って相対的に移動可能、かつ、偏心軸６１Ｂに対して相対的に回転可能に偏心軸６１Ｂに設けられる。
【００３０】
入力変換部６２は偏心軸６１Ｂの回転運動を往復回転運動に変換できるようにローラ６１Ｃを介して偏心軸６１Ｂと連結される。入力変換部６２は第１腕６３、第２腕６４、および、回転支持軸６５を含む。回転支持軸６５は第１中心軸線ＣＬ１を有する軸である。一例では、回転支持軸６５は一方の端部がケース１１に回転可能に支持され、他方の端部がカバー１２に回転可能に支持される。第１腕６３はローラ６１Ｃを介して偏心軸６１Ｂと連結されている。第１腕６３は回転中心部６３Ａおよび凹部６３Ｂを含む。回転中心部６３Ａは入力変換部６２が第１中心軸線ＣＬ１まわりに往復回転運動できるように回転支持軸６５に支持される。凹部６３Ｂは回転中心部６３Ａから延びてローラ６１Ｃを包む（図５参照）。電気モータ４１が駆動し、ローラ６１Ｃが凹部６３Ｂの内周面６３Ｃにおいて第１中心軸線ＣＬ１に沿う方向に転がりながら出力軸４１Ａまわりを回転することにより、第１腕６３が第１中心軸線ＣＬ１まわりに往復回転運動する。
【００３１】
第２腕６４は第１腕６３の回転中心部６３Ａから延びて第２変換部７０と連結されている。第２腕６４は一対の凸部６４Ａを含む。一対の凸部６４Ａは例えば第１中心軸線ＣＬ１に沿う方向において互いに反対方向に突出するように設けられる。第２腕６４は一対の凸部６４Ａが第２変換部７０に挿入されることにより第２変換部７０と連結される。第２腕６４は、第１腕６３が第１中心軸線ＣＬ１まわりに往復回転運動するとともに往復回転運動し、その往復回転運動を第２変換部７０に伝達する。入力変換部６２は例えば第１腕６３と第２腕６４とのなす角度（以下「腕角度」）が鋭角となるように構成されている。腕角度は第１腕６３の中心線と第２腕６４の中心線とのなす角度である。腕角度に関する好ましい範囲の一例は４５°以上かつ９０°未満である。一例では、腕角度は７０°である。
【００３２】
第２変換部７０の機能は第１変換部６０から伝達される往復回転運動を往復直線運動に変換することである。一例では、第２変換部７０は第１変換部６０の往復回転運動を、固定刃２２Ａに対する可動刃２３Ａの移動方向Ｌ１（図２参照）と同じ方向である出力方向ＳＤにおける往復直線運動に変換する。第２変換部７０は入力変換部６２の往復回転運動を往復直線運動に変換できるように入力変換部６２と連結される。第２変換部７０の材料の一例は樹脂である。
【００３３】
第２変換部７０は運動伝達部７１および弾性変形部７２を含む。運動伝達部７１は例えば第１中心軸線ＣＬ１に沿う方向における中心線に対して線対称の関係を有する。運動伝達部７１は第１変換部６０と出力部９０とを連結している。一例では、運動伝達部７１は入力変換部６２の第２腕６４と連結されている。
【００３４】
弾性変形部７２は例えば出力方向ＳＤにおける中心線、および、第１中心軸線ＣＬ１に沿う方向における中心線に対して線対称の関係を有する。弾性変形部７２は第１変換部６０から運動伝達部７１に伝達される往復回転運動に含まれる運動成分のうち、出力方向ＳＤの運動成分とは別の運動成分による運動伝達部７１の運動を規制し、出力方向ＳＤの運動成分により運動伝達部７１が往復直線運動するように運動伝達部７１と連結される。弾性変形部７２は例えば運動伝達部７１の周囲を取り囲むように運動伝達部７１に設けられる。
【００３５】
出力部９０は可動刃２３Ａが往復直線運動するように第２変換部７０と可動刃２３Ａとを連結する。出力部９０は第１部分９１および第２部分９２を含む。第１部分９１は例えば出力方向ＳＤに延び、出力部９０のうちの第２変換部７０と連結される部分を構成している。第２部分９２は例えば出力方向ＳＤかつ第１中心軸線ＣＬ１に沿う方向に直交する方向（以下、「直線方向ＬＤ」）に延び、出力部９０のうちの可動刃２３Ａと連結される部分を構成している。第１部分９１および第２部分９２は互いに連続している。
【００３６】
出力部９０は刃連結部９３をさらに含む。刃連結部９３は例えば第２部分９２の先端に設けられる。刃連結部９３は刃ユニット２１の接続部２５Ａ（図３参照）と接続されることにより可動刃２３Ａと連結される。刃連結部９３は凸部９３Ａおよび支持部９３Ｂを含む。凸部９３Ａは接続部２５Ａに挿入される部分を構成する。支持部９３Ｂは凸部９３Ａを支持している。一例では、刃ユニット２１が本体１０に取り付けられることにより接続部２５Ａが凸部９３Ａと接続され、刃連結部９３が可動刃２３Ａと連結される。このため、出力部９０の往復直線運動が可動刃２３Ａに伝達され、可動刃２３Ａが固定刃２２Ａに対して往復直線運動する。
【００３７】
電気式毛切断装置１はガイド部１３をさらに含む。ガイド部１３の機能は刃連結部９３を出力方向ＳＤにガイドすることである。ガイド部１３は例えばケース１１のうちの刃連結部９３が収容される部分と対応する部分に設けられる。ガイド部１３は溝１３Ａを含む。溝１３Ａは例えば出力方向ＳＤに延びる。出力部９０がケース１１に収容された状態において刃連結部９３の支持部９３Ｂが溝１３Ａに嵌め込まれる（図６参照）。出力部９０の往復直線運動にともない刃連結部９３がガイド部１３の溝１３Ａに沿って往復直線運動するため、可動刃２３Ａが安定した往復直線運動を形成しやすい。
【００３８】
電気式毛切断装置１はシール部１００およびシール支持部１０１をさらに含む。シール部１００の機能は水分および異物等が本体１０内に入り込むことを抑制することである。シール部１００の材料の一例はゴムである。シール部１００は長穴１００Ａを含む。出力部９０の第２部分９２は長穴１００Ａを通過するように設けられる。長穴１００Ａは第２部分９２が往復直線運動できるように出力方向ＳＤに延びている。シール部１００は例えば第２部分９２を覆うように設けられ、シール支持部１０１に取り付けられる。
【００３９】
シール支持部１０１の機能はシール部１００を支持することである。シール支持部１０１は長穴１０１Ａを含む。出力部９０の第２部分は長穴１０１Ａを通過するように設けられる。長穴１０１Ａは第２部分９２が往復直線運動できるように出力方向ＳＤに延びている。シール支持部１０１は例えば第２部分９２を覆うように設けられ、ケース１１内のリブ１４に取り付けられる（図６参照）。出力部９０の往復直線運動にともない第２部分９２が各長穴１００Ａ、１０１Ａの範囲において往復直線運動する。
【００４０】
電気式毛切断装置１は保持部１０２および固定部１０３をさらに含む。保持部１０２の機能は刃ユニット２１を本体１０に保持することである。保持部１０２は一対のばね１０２Ａを含む。一対のばね１０２Ａはケース１１のうちの刃ユニット２１と対応する部分に設けられる。刃ユニット２１は本体１０に取り付けられることにより、一対のばね１０２Ａによって本体１０に保持される。固定部１０３の機能はカバー１２をケース１１に固定することである。固定部１０３は２つのねじ１０３Ａを含む。カバー１２がケース１１に取り付けられ、２つのねじ１０３Ａがケース１１およびカバー１２を貫通するように挿入されることによってカバー１２がケース１１に固定される。
【００４１】
図５〜図７を参照して、第２変換部７０の具体的な構成について説明する。
図５に示されるように、第２変換部７０は入力変換部６２と出力部９０とを連結している。弾性変形部７２は一対の第１部分７３、一対の第２部分７４、および、弾性部分７５を含む。一対の第１部分７３は例えばケース１１（図６参照）と連結され、第１中心軸線ＣＬ１に沿う方向に延びるように設けられる。一例では、一対の第１部分７３はケース１１のそれぞれの取付部１５に挿入され、取付部１５に対して固定される（図６参照）。このため、電気モータ４１の駆動による第２変換部７０の動作が安定しやすい。一対の第２部分７４は例えば運動伝達部７１と連結され、出力方向ＳＤに延びるように設けられる。
【００４２】
弾性部分７５は弾性変形できるように第１部分７３と第２部分７４とを連結している。弾性部分７５の厚さは第１部分７３の厚さおよび第２部分７４の厚さよりも薄い。弾性部分７５は一対の第１弾性部分７５Ａおよび一対の第２弾性部分７５Ｂを含む。第１弾性部分７５Ａおよび第２弾性部分７５Ｂは出力方向ＳＤにおいて間隔をあけて設けられる。一方の第１弾性部分７５Ａおよび他方の第１弾性部分７５Ａは第１中心軸線ＣＬ１に沿う方向において間隔をあけて設けられる。一方の第２弾性部分７５Ｂおよび他方の第２弾性部分７５Ｂは第１中心軸線ＣＬ１に沿う方向において間隔をあけて設けられる。このため、電気モータ４１の駆動による第２変換部７０の動作が一層安定しやすい。一例では、各弾性部分７５Ａ、７５Ｂは第１部分７３の端部と第２部分７４の端部とを連結している。第１中心軸線ＣＬ１は第１弾性部分７５Ａと第２弾性部分７５Ｂとの間に設けられる。このため、運動変換機構５０が小型化される。
【００４３】
図６に示されるように、運動変換機構５０は第２変換部７０とケース１１との間に隙間Ｓが設けられるようにケース１１に収容される。このため、電気モータ４１が駆動することにより第２変換部７０が動作したとしても第２変換部７０とケース１１とが接触するおそれが低減される。
【００４４】
運動変換機構５０は回り対偶８０をさらに含む。回り対偶８０の機能は第２変換部７０と出力部９０とを連結することである。回り対偶８０は第１弾性部分７５Ａと第２弾性部分７５Ｂとの間に設けられる。このため、運動変換機構５０が小型化される。
【００４５】
回り対偶８０は回転軸８１および連結部８２を含む。回転軸８１は出力方向ＳＤと交差する第２中心軸線ＣＬ２を有する。第２中心軸線ＣＬ２は第１中心軸線ＣＬ１に対して平行である。回転軸８１は例えば出力部９０の第１部分９１の端部に設けられる。連結部８２は第２中心軸線ＣＬ２まわりで第２変換部７０と出力部９０とが相対的に回転できるように回転軸８１と連結される。連結部８２は例えば第２変換部７０の運動伝達部７１に設けられる。
【００４６】
図７に示されるように、連結部８２は一対の孔８２Ａを含む。回転軸８１が一対の孔８２Ａに挿入されることにより、出力部９０が第２変換部７０に対して相対的に回転できるように運動伝達部７１に連結される。このため、第２変換部７０から伝達される往復直線運動が出力部９０を介して可動刃２３Ａ（図３参照）に伝達されやすい。また、回転軸８１が一対の孔８２Ａから突き出ないように設けられるため、出力部９０を運動伝達部７１に連結しやすい。
【００４７】
第２変換部７０は規制連結部７６をさらに含む。規制連結部７６は入力変換部６２の第２腕６４が出力方向ＳＤと交差する方向に相対的に移動し、かつ、出力方向ＳＤに相対的に移動できないように第２腕６４と連結される。出力方向ＳＤと交差する方向の一例は直線方向ＬＤである（図６参照）。規制連結部７６は運動伝達部７１に設けられる。
【００４８】
規制連結部７６は一対の溝７６Ａを含む。溝７６Ａは直線方向ＬＤに延びるように運動伝達部７１に設けられる。第２腕６４は一対の凸部６４Ａが対応する溝７６Ａに挿入されることによって、第１中心軸線ＣＬ１（図６参照）まわりの往復回転運動が第２変換部７０に伝達されるように第２変換部７０と連結される。第２変換部７０は入力変換部６２から伝達された往復回転運動に含まれる運動成分のうち、出力方向ＳＤの運動成分とは別の運動成分による運動伝達部７１の運動が各弾性部分７５Ａ、７５Ｂ（図６参照）の弾性変形により吸収され、出力方向ＳＤの運動成分により運動伝達部７１が往復直線運動する。このように、電気モータ４１の出力軸４１Ａ（図６参照）の回転運動が簡易な構成で往復直線運動に変換される。
【００４９】
図６に示されるように、第１変換部６０および第２変換部７０は、第２腕６４と規制連結部７６との連結部分ＬＫおよび第２中心軸線ＣＬ２を通過する直線（以下「仮想線ＸＬ」）と出力方向ＳＤとが平行するように構成される。仮想線ＸＬは図６の一点鎖線により示される断面指示線と同じ方向である。このため、第２変換部７０から出力部９０に伝達される往復直線運動の方向と出力部９０から可動刃２３Ａ（図３参照）に伝達される往復直線運動の方向とが一致しやすく、電気式毛切断装置１を構成する各種の要素と運動変換機構５０とが接触するおそれが低減される。
【００５０】
図８および図９を参照して、運動変換機構５０の動作について説明する。
運動変換機構５０は電気モータ４１が駆動することにより第１状態（図８参照）および第２状態（図９参照）を繰り返す動作を実施する。図８に示される運動変換機構５０の第１状態は、偏心回転部６１の偏心軸６１Ｂがグリップ部３０の正面３０Ａ側に最も近づけられた位置を取り、出力部９０が電気モータ４１側に最も近づけられた位置を取る状態である。第２変換部７０は第１状態において、弾性変形部７２の第２部分７４が電気モータ４１側に最も近づくように移動し、弾性部分７５が第２部分７４の移動に追従するように撓む。第１変換部６０から運動伝達部７１に伝達される往復回転運動に含まれる運動成分のうち、出力方向ＳＤの運動成分とは別の運動成分による運動伝達部７１の運動が弾性部分７５による弾性変形によって規制されるため、電気式毛切断装置１を構成する各種の要素と第２変換部７０とが接触するおそれが低減される。
【００５１】
運動変換機構５０は電気モータ４１の出力軸４１Ａが回転することにより第１状態から第２状態へ移行する。運動変換機構５０は第１状態から第２状態へ移行する過程において、図６に示される状態と同じまたは類似した状態を取る。一例では、運動変換機構５０は偏心回転部６１の偏心軸６１Ｂがケース１１側に最も近づけられた位置を取り、出力部９０が可動域における中間の位置を取る。出力部９０の可動域は出力部９０が往復直線運動することが可能な領域である。
【００５２】
図９に示される運動変換機構５０の第２状態は、偏心回転部６１の偏心軸６１Ｂがグリップ部３０の正面３０Ａ側から最も離れた位置を取り、出力部９０が電気モータ４１側から最も離れた位置を取る状態である。第２変換部７０は第２状態において、弾性変形部７２の第２部分７４が電気モータ４１側から最も離れるように移動し、弾性部分７５が第２部分７４の移動に追従するように撓む。第１変換部６０から運動伝達部７１に伝達される往復回転運動に含まれる運動成分のうち、出力方向ＳＤの運動成分とは別の運動成分による運動伝達部７１の運動が弾性部分７５による弾性変形によって規制されるため、電気式毛切断装置１を構成する各種の要素と第２変換部７０とが接触するおそれが低減される。
【００５３】
運動変換機構５０は電気モータ４１の出力軸４１Ａが回転することにより第２状態から第１状態へ移行する。運動変換機構５０が第２状態から第１状態へ移行する過程において、図６に示される状態と同じまたは類似した状態を取る。一例では、運動変換機構５０は偏心回転部６１の偏心軸６１Ｂがカバー１２（図４参照）側に最も近づけられた位置を取り、出力部９０が可動域における中間の位置を取る。
【００５４】
このように、運動変換機構５０は電気モータ４１が駆動することにより第１状態および第２状態を繰り返す動作を実施するため、電気モータ４１の駆動中において電気式毛切断装置１を構成する各種の要素と第２変換部７０とが接触するおそれが低減される。このため、可動刃２３Ａ（図３参照）の駆動中に大きな音が発生しにくい。また、運動変換機構５０がケース１１内に収容された状態において第２変換部７０とケース１１との間に隙間Ｓが形成されるため、第２変換部７０とケース１１とが接触するおそれが一層低減され、可動刃２３Ａの駆動中に大きな音が一層発生しにくい。
【００５５】
図１０は第１アタッチメント１１０が装着された電気式毛切断装置１を示す。第１アタッチメント１１０はヘッド部２０の一部が露出するようにヘッド部２０に取り付けられる。一例では、第１アタッチメント１１０がヘッド部２０に取り付けられた状態において、固定刃２２Ａおよび可動刃２３Ａの一部が露出し、固定刃２２Ａおよび可動刃２３Ａのその他の部分が第１アタッチメント１１０により覆われる。固定刃２２Ａおよび可動刃２３Ａが露出する長さ（以下「露出長さ」）に関する好ましい範囲の一例は１〜２０ｍｍである。一例では、露出長さは１２ｍｍである。露出長さは出力方向ＳＤに沿う長さである。第１アタッチメント１１０が装着された電気式毛切断装置１を用いる場合、対象部位の毛を局所的に切断できる。第１アタッチメント１１０は露出長さを調節可能な構造を含んでもよい。
【００５６】
図１１は第２アタッチメント１２０が装着された電気式毛切断装置１を示す。第２アタッチメント１２０はヘッド部２０を覆うようにヘッド部２０に取り付けられる。第２アタッチメント１２０は固定刃２２Ａと可動刃２３Ａとの間に導入される毛の長さ（以下「切断長さ」）が互いに異なる第１形態および第２形態のいずれかの形態を取り得る。第１形態は切断長さが最も長くなる状態である。第２形態は切断長さが第１形態よりも短くなる状態である。図１１の実線は第２アタッチメント１２０が第１形態を取る状態を示し、図１１の二点鎖線は第２アタッチメント１２０が第２形態を取る状態を示す。図示される例では、第２形態は切断長さが最も短くなる状態である。第２アタッチメント１２０は操作部１２１の操作によって第１形態および第２形態のいずれかの形態を取り得る。第２アタッチメント１２０が装着された電気式毛切断装置１を用いる場合、ユーザが任意に切断長さを調節できる。
【００５７】
図１を参照して、電気式毛切断装置１の使用方法の一例について説明する。
電気式毛切断装置１は例えばユーザにより次のように使用される。始めに、電気式毛切断装置１の電源スイッチ３１が操作されることにより電気式毛切断装置１の電源がオンに設定される。電気式毛切断装置１の電源がオンに設定されることにより電気モータ４１（図２参照）が駆動し、可動刃２３Ａが固定刃２２Ａに対して往復直線運動し始める。可動刃２３Ａの駆動中において、出力方向ＳＤの運動成分とは別の運動成分による運動伝達部７１の運動が弾性変形部７２により規制されるため、電気式毛切断装置１を構成する各種の要素と第２変換部７０とが接触するおそれが低減される（図６参照）。このため、可動刃２３Ａの駆動中に大きな音が発生しにくい。
【００５８】
次に、電気式毛切断装置１のグリップ部３０を片手でグリップし、固定刃２２Ａを肌と接触させて電気式毛切断装置１を肌に沿って滑らせる。この動作によって、対象部位の毛の一例である髭が固定刃２２Ａおよび可動刃２３Ａにより切断される。電気式毛切断装置１は各種のアタッチメント１１０、１２０を装着して使用することもできる。
【００５９】
（変形例）
実施の形態に関する説明は本発明に関する電気式毛切断装置が取り得る形態の例示であり、その形態を制限することを意図していない。本発明は実施の形態以外に例えば以下に示される実施の形態の変形例、および、相互に矛盾しない少なくとも２つの変形例が組み合わせられた形態を取り得る。
【００６０】
・第１変換部６０および第２変換部７０の関係は任意に変更可能である。一例では、第１変換部６０および第２変換部７０は仮想線ＸＬと出力方向ＳＤとが交差するように構成される。この例によれば、仮想線ＸＬと出力方向ＳＤとのなす角度が０°に近づけられることが好ましい。
【００６１】
・第１中心軸線ＣＬ１の位置は任意に変更可能である。第１例では、第１中心軸線ＣＬ１は第１弾性部分７５Ａよりも可動刃２３Ａ側に設けられる。第２例では、第１中心軸線ＣＬ１は第２弾性部分７５Ｂよりも電気モータ４１側に設けられる。第３例では、第１中心軸線ＣＬ１は直線方向ＬＤにおいて第１弾性部分７５Ａと第２弾性部分７５Ｂとの間以外の部分に設けられる。
【００６２】
・回り対偶８０の位置は任意に変更可能である。第１例では、回り対偶８０は第１弾性部分７５Ａよりも可動刃２３Ａ側に設けられる。第２例では、回り対偶８０は第２弾性部分７５Ｂよりも電気モータ４１側に設けられる。第３例では、回り対偶８０は直線方向ＬＤにおいて第１弾性部分７５Ａと第２弾性部分７５Ｂとの間以外の部分に設けられる。
【００６３】
・回り対偶８０の構成は任意に変更可能である。第１例では、連結部８２は第２中心軸線ＣＬ２まわりで第２変換部７０と出力部９０とが相対的に回転しないように回転軸８１と連結される。第２例では、回転軸８１が第２変換部７０の運動伝達部７１に設けられ、連結部８２が出力部９０の第１部分９１の端部に設けられる。
【００６４】
・入力変換部６２および第２変換部７０の構成は任意に変更可能である。一例では、第２腕６４が一対の溝を含み、規制連結部７６が一対の凸部を含む。この例によれば、第２腕６４は規制連結部７６の一対の凸部が対応する溝に挿入されることによって、第１中心軸線ＣＬ１まわりの往復回転運動が第２変換部７０に伝達されるように第２変換部７０と連結される。
【００６５】
・弾性変形部７２の第２部分７４の構成は任意に変更可能である。一例では、第２部分７４の厚さは弾性部分７５の厚さと実質的に同じである。このため、第２部分７４は弾性変形可能である。
【００６６】
・弾性部分７５の構成は任意に変更可能である。第１例では、第１弾性部分７５Ａの数は１つまたは３つ以上である。第２例では、第２弾性部分７５Ｂの数は１つまたは３つ以上である。第３例では、第１弾性部分７５Ａおよび第２弾性部分７５Ｂの一方が弾性部分７５から省略される。
【００６７】
・電気式毛切断装置１はガイド部１３を省略した形態を取り得る。この例では、出力部９０が往復直線運動する場合に刃連結部９３がガイド部１３によってガイドされない。このため、可動刃２３Ａの駆動中に刃連結部９３とガイド部１３との接触による音が発生しない。なお、刃連結部９３は支持部９３Ｂを省略した形態を取り得る。
【００６８】
・電気式毛切断装置１は案内部２８を省略した形態を取り得る。各アタッチメント１１０、１２０は案内部２８が省略された場合でもヘッド部２０に取り付け可能である。
・電気式毛切断装置１の大きさは任意に変更可能である。一例では、電気式毛切断装置１は眉毛および睫毛の切断に適した大きさを有する。
【産業上の利用可能性】
【００６９】
本発明に関する電気式毛切断装置は、家庭用および業務用をはじめとする各種の電気式毛切断装置に利用できる。
【符号の説明】
【００７０】
１      ：電気式毛切断装置
１１    ：ケース
１３    ：ガイド部
２３Ａ  ：可動刃
４１    ：電気モータ
４１Ａ  ：出力軸
５０    ：運動変換機構
６０    ：第１変換部
６１Ｂ  ：偏心軸
６２    ：入力変換部
６３    ：第１腕
６４    ：第２腕
７０    ：第２変換部
７１    ：運動伝達部
７２    ：弾性変形部
７３    ：第１部分
７４    ：第２部分
７５    ：弾性部分
７５Ａ  ：第１弾性部分
７５Ｂ  ：第２弾性部分
７６    ：規制連結部
８０    ：回り対偶
８１    ：回転軸
８２    ：連結部
９０    ：出力部
９３    ：刃連結部
ＣＬ１  ：第１中心軸線
ＣＬ２  ：第２中心軸線
ＬＫ    ：連結部分
ＳＤ    ：出力方向
【図１】
2018118023.tif 000003
【図２】
2018118023.tif 000004
【図３】
2018118023.tif 000005
【図４】
2018118023.tif 000006
【図５】
2018118023.tif 000007
【図６】
2018118023.tif 000008
【図７】
2018118023.tif 000009
【図８】
2018118023.tif 000010
【図９】
2018118023.tif 000011
【図１０】
2018118023.tif 000012
【図１１】
2018118023.tif 000013
【図１２】
2018118023.tif 000014